(57)【特許請求の範囲】
【請求項１】
前側の支持杆１ａと後側の支持杆１ｂと上側の支持杆１ｃと下側の支持部１ｄにより、踏板支持体１を平行四辺形状に構成し、伸縮するアクチュエータ２の先端を該踏板支持体１の一部に枢支し、該アクチュエータ２の伸縮により、平行四辺形の踏板支持体１が上下に回動し、該前側の支持杆１ａと後側の支持杆１ｂの傾斜角度を変更可能とし、両者の間に枢支した踏板３の踏み足部分を、何時でも水平とすべく構成し、該前側の支持杆１ａと後側の支持杆１ｂの平行移動により、両者の間隔は変化するので、この間隔の変化量を吸収すべく、後側の支持杆１ｂに設けた枢支軸を、踏板３の後側の長孔に嵌入し、更に、踏板支持体１により階段の傾斜角度の変更に伴い生ずる、階段の縦板２１の長さの変化を許容すべく、縦板２１から伸縮自在板２２を垂下し、前記アクチュエータ２を伸縮する切換スイッチを、踏板３の前面で、踏板３の移動を視認することが出来る位置に配置したことを特徴とする住宅階段の傾斜勾配体験装置。
【発明の詳細な説明】
【０００１】
【発明の属する技術分野】
本発明は住宅建築予定者が住宅展示場を訪れた際において、これから設計する自分の住宅をどのようにするかを検討する際の、特に階段の設計において、重要な判断資料を提供するものである。
【０００２】
【従来の技術】
これまでの住宅の階段は、建築基準法に定められた限界基準勾配の角度と、従来から施行されている業界基準の急角度と、高齢者所帯でも安全の安全基準角度等の３通りの傾斜勾配が存在するのである。
しかし、これまでは、狭い敷地と、住居面積を広く取りたいという要望から、どうしても、建築基準法に定められた限界基準勾配や、従来から施行されている業界基準の急角度が採用され、住人が高齢となった場合に、階段において滑るという事故が発生する原因となっていたのである。
特に、階段の傾斜角度が急に成った場合に問題となるのは、角度の点だけではなく、それにつれて踏板の部分の面積も同じく変化するのである。角度が急になるほど、踏板の部分の面積が狭くなるのである。この点を、どうしても体験しておく必要が存在するのである。
【０００３】
【発明が解決しようとする課題】
本発明は、建築基準法に定められた限界基準勾配や、従来から施行されている業界基準の急角度を選択する場合には、その角度が如何に危険であるかを、住宅建築予定者に身を持って体験してもらい、出来るだけ将来に備えて安全な高齢者所帯でも安全の安全基準角度等の３通りの傾斜勾配を採用してもらうように進める為に使用するものである。
【０００４】
【課題を解決するための手段】
本発明が解決しようとする課題は以上の如くであり、次に該課題を解決するための手段を説明する。
前側の支持杆１ａと後側の支持杆１ｂと上側の支持杆１ｃと下側の支持部１ｄにより、踏板支持体１を平行四辺形状に構成し、伸縮するアクチュエータ２の先端を該踏板支持体１の一部に枢支し、該アクチュエータ２の伸縮により、平行四辺形の踏板支持体１が上下に回動し、該前側の支持杆１ａと後側の支持杆１ｂの傾斜角度を変更可能とし、両者の間に枢支した踏板３の踏み足部分を、何時でも水平とすべく構成し、該前側の支持杆１ａと後側の支持杆１ｂの平行移動により、両者の間隔は変化するので、この間隔の変化量を吸収すべく、後側の支持杆１ｂに設けた枢支軸を、踏板３の後側の長孔に嵌入し、更に、踏板支持体１により階段の傾斜角度の変更に伴い生ずる、階段の縦板２１の長さの変化を許容すべく、縦板２１から伸縮自在板２２を垂下し、前記アクチュエータ２を伸縮する切換スイッチを、踏板３の前面で、踏板３の移動を視認することが出来る位置に配置したものである。
【０００５】
【発明の実施の形態】
次に本発明の実施の形態を説明する。
図１は、本発明の住宅階段の傾斜勾配体験装置の斜視図、図２は同じく本発明の住宅階段の傾斜勾配体験装置の正面図、図３は操作パネル５と切換操作スイッチ４の部分を示す住宅階段の傾斜勾配体験装置の斜視図、図４は建築基準法に定められた限界基準勾配を示す図面、図５は従来から施行されている業界基準の急角度を示す図面、図６は高齢者所帯でも安全の安全基準角度等の３通りの傾斜勾配を示す図面、図７は、本住宅階段の傾斜勾配体験装置の踏板支持体１とアクチュエータ２と踏板３の傾斜角度調整機構を示す図面である。
【０００６】
図１・図２・図３において、本発明の住宅階段の傾斜勾配体験装置の具体的な構成を説明する。
本発明の住宅階段の傾斜勾配体験装置は、住宅展示場のモデルハウスの室内や、住宅設計時の具体化交渉場所等において、据え付けや移動が可能な装置としても、下部に移動を可能とするキャスター輪１１を設けている。該キャスター輪１１は４ヵ所に配置されている。
【０００７】
そして、本発明の住宅階段の傾斜勾配体験装置は踏板３が３段に構成されており、最上段の踏板３ａは踊り場を兼用している。該最上段の踏板３ａの下に第２段の踏板３ｂと、第３段の踏板３ｃと、最下段の踏板３ｄが設けられている。該最上段の踏板３ａ、第２段の踏板３ｂ、第３段の踏板３ｃ、最下段の踏板３ｄ共に、装置の左右にアクチュエータ２により傾斜回動可能に支持されている踏板支持体１に枢支軸により枢支されている。即ち、最上段の踏板３ａは枢支軸１２ａ・１２ｂにより、踏板支持体１の前側の支持杆１ａと後側の支持杆１ｂに枢支されている。また、第２段の踏板３ｂは枢支軸１３ａ・１３ｂにより前側の支持杆１ａと後側の支持杆１ｂに、枢支されている。また第３段の踏板３ｃは、前側の支持杆１ａと後側の支持杆１ｂに、枢支軸１４ａ・１４ｂにより、最下段の踏板３ｄは前側の支持杆１ａと後側の支持杆１ｂに、枢支軸１５ａと１５ｂにより枢支されている。
【０００８】
次に図７において、本発明の住宅階段の傾斜勾配体験装置の具体的な構成を説明する。
該踏板支持体１は前側の支持杆１ａと後側の支持杆１ｂと上側の支持杆１ｃと下側の支持部１ｄにより、平行四辺形状に構成されており、伸縮するアクチュエータ２が踏板支持体１の一部に先端を枢支されている。該アクチュエータ２の伸縮により、平行四辺形の踏板支持体１が上下に回動し、該踏板支持体１の前側の支持杆１ａと後側の支持杆１ｂに枢支された踏板３がその傾斜角度を変更されるのである。しかし、最上段の踏板３ａと第２段の踏板３ｂと第３段の踏板３ｃと最下段の踏板３ｄの踏み足部分は、何時でも水平にすべく構成されている。
【０００９】
該前側の支持杆１ａと後側の支持杆１ｂが平行移動すると、両者の間隔は変化するので、この間隔の変化量を吸収できるように、枢支軸１２ｂ・１３ｂ・１４ｂ・１５ｂの部分には、最上段の踏板３ａ・第２段の踏板３ｂ・第３段の踏板３ｃ・最下段の踏板３ｄの側には長孔が穿設されている。これにより、踏板３は水平のままで、かつ前側の支持杆１ａと後側の支持杆１ｂの間の間隔の変化を吸収可能としているのである。
【００１０】
また、住宅階段の傾斜勾配体験装置の側壁の部分には、この踏板支持体１と踏板３が傾斜した状態で枢支軸が通過可能なように、図１と図３に図示した如く、側板６に前側の支持杆１ａの部分の枢支軸が通過可能な長孔７ａと、後側の支持杆１ｂの部分の枢支軸を通過可能な長孔８ａを穿設している。
また、踏板支持体１により傾斜角度が変化すると、階段の縦板２１の部分が同じく踏板３につれて上下し、その長さが変化するので、この階段の縦板２１の変更分を補正して、縦板の部分に出来る間隙を閉鎖する為に、伸縮自在板２２を、長孔とピンにより係合して垂下した構成としている。この構成は、最上段の踏板３ａと第２段の踏板３ｂと第３段の踏板３ｃにおいて同じ構成としている。
【００１１】
また、最上段の踏板３ａは踊り段を兼ねているが、この周囲には、手摺り１０を設けて、高齢者がよろめくことのないように安全を期している。また、住宅階段の傾斜勾配体験装置の側板６の部分に、踏板支持体１の角度の調整状態を見ながら傾斜を調整可能とすべく、操作パネル５と切換操作スイッチ４が構成されている。また、最上段の踏板３ａを囲む踊り板の周囲には、本住宅１段の傾斜勾配体験装置の使用方法と、階段の傾斜角度の重要性を説明した説明図と説明文１８が掲載されている。
【００１２】
このように階段の傾斜勾配を、図４と図５と図６に示す如く、建築基準法に定められた限界基準勾配と、従来から施行されている業界基準の急角度と、高齢者所帯でも安全の安全基準角度等の３通りの傾斜勾配の、３段階に変更可能として、この変更状態で、住宅建築予定者に昇降してもらうことにより、階段の角度の住宅における重要性を理解して貰うことが出来るのである。
【００１３】
また、本発明の住宅階段の傾斜勾配体験装置を、住宅展示場のモデルハウス内に配置可能としたので、住宅展示場に足を運ぶ住宅建築予定者に対して、十分に階段の傾斜勾配の重要性を認識してもらうことができ、かつ比較しながら体験認識することが出来るので、安全性の高い住宅の設計・建築に寄与することが出来るのである。
【００１４】
【発明の効果】
本発明は以上の如く構成したので、次のような効果を奏するものである。
前側の支持杆１ａと後側の支持杆１ｂと上側の支持杆１ｃと下側の支持部１ｄにより、踏板支持体１を平行四辺形状に構成し、伸縮するアクチュエータ２の先端を該踏板支持体１の一部に枢支し、該アクチュエータ２の伸縮により、平行四辺形の踏板支持体１が上下に回動し、該前側の支持杆１ａと後側の支持杆１ｂの傾斜角度を変更可能とし、両者の間に枢支した踏板３の踏み足部分を、何時でも水平とすべく構成し、該前側の支持杆１ａと後側の支持杆１ｂの平行移動により、両者の間隔は変化するので、この間隔の変化量を吸収すべく、後側の支持杆１ｂに設けた枢支軸を、踏板３の後側の長孔に嵌入し、更に、踏板支持体１により階段の傾斜角度の変更に伴い生ずる、階段の縦板２１の長さの変化を許容すべく、縦板２１から伸縮自在板２２を垂下し、前記アクチュエータ２を伸縮する切換スイッチを、踏板３の前面で、踏板３の移動を視認することが出来る位置に配置したので、階段の傾斜勾配と踏板３の面積を変化した場合に発生する、第２段の踏板３ｂや第３段の踏板３ｃや最下段の踏板３ｄの部分の面積が狭くなるという変化を、身を持って体験することが出来るので、高齢者になった場合の、階段の昇降の危険性を十分に体験認識することが可能となるのである。
また、前側の支持杆１ａと後側の支持杆１ｂが平行移動すると、両者の間隔は変化するが、後側の支持杆１ｂの枢支軸１２ｂ・１３ｂ・１４ｂ・１５ｂの部分には、踏板３の長孔が嵌装されているので、ここの間隔の変化量を吸収でき、これにより、踏板３は水平のままで、かつ前側の支持杆１ａと後側の支持杆１ｂの間の間隔の変化を吸収可能としているのである。
【００１５】
また、踏板支持体１により傾斜角度が変化すると、階段の縦板２１の部分が同じく踏板３につれて上下し、その長さが変化するのであるが、この階段の縦板２１の変更分を伸縮自在板２２を垂下した構成により補正し、縦板の部分に出来る間隙を閉鎖することが出来るのである。
また、アクチュエータ２を伸縮する切換スイッチを、踏板３の前面で、踏板３の移動を視認することが出来る位置に配置したので、オペレータは、階段の踏板３の状態を十分に認識しながら、建築基準法に定められた限界基準勾配と、従来から施行されている業界基準の急角度と、高齢者所帯でも安全の安全基準角度等の３通りの傾斜勾配の状態に切換ることが出来るので、住宅建築予定者に対して、説明をしながら、第２段の踏板３ｂと第３段の踏板３ｃの部分の面積が狭くなることを証明することが可能となったものである。
【図面の簡単な説明】
【図１】  本発明の住宅階段の傾斜勾配体験装置の斜視図。
【図２】  同じく本発明の住宅階段の傾斜勾配体験装置の正面図。
【図３】  操作パネル５と切換操作スイッチ４の部分を示す住宅階段の傾斜勾配体験装置の斜視図。
【図４】  建築基準法に定められた限界基準勾配を示す図面。
【図５】  従来から施行されている業界基準の急角度を示す図面。
【図６】  高齢者所帯でも安全の安全基準角度等の３通りの傾斜勾配を示す図面。
【図７】  本住宅階段の傾斜勾配体験装置の踏板支持体１とアクチュエータ２と踏板３の傾斜角度調整機構を示す図面。
【符号の説明】
１  踏板支持体
１ａ  前側の支持杆
１ｂ  後側の支持杆
２  アクチュエータ
３  踏板
３ａ  最上段の踏板
３ｂ  第２段の踏板
３ｃ  第３段の踏板
４  切換操作スイッチ
５  操作パネル
６  側板
【図１】
0003712177.tif 000002
【図２】
0003712177.tif 000003
【図３】
0003712177.tif 000004
【図４】
0003712177.tif 000005
【図５】
0003712177.tif 000006
【図６】
0003712177.tif 000007
【図７】
0003712177.tif 000008